(57)【特許請求の範囲】
【請求項１】
第１のプラグの接触子が挿通される第１の挿通孔および、第２のプラグの接触子が挿通される第２の挿通孔が一方向に並んで形成されたボディと、
前記ボディに収納され、前記第１の挿通孔に挿通した前記第１のプラグの接触子が接触導通する第１の接触子受けと、
前記ボディに収納され、前記第２の挿通孔に挿通した前記第２のプラグの接触子が接触導通する第２の接触子受けと、
前記ボディに収納され、前記第１の挿通孔に挿通した前記第１のプラグの接触子に当接し、前記第１のプラグの接触子の挿通量が増加するにつれて、前記第１の挿通孔を閉塞する前記一方向の一端側の第１の閉塞位置から、前記第１の挿通孔を開放する前記一方向の他端側の第１の開放位置に向かって移動する第１の扉体と、
前記ボディに収納され、前記第２の挿通孔に挿通した前記第２のプラグの接触子に当接し、前記第２のプラグの接触子の挿通量が増加するにつれて、前記第２の挿通孔を閉塞する前記一方向の他端側の第２の閉塞位置から、前記第２の挿通孔を開放する前記一方向の一端側の第２の開放位置に向かって移動する第２の扉体と、
前記一方向における前記第１の扉体と前記第２の扉体との間に設けられ、前記第１の扉体を前記一方向の一端側へ付勢し、前記第２の扉体を前記一方向の他端側へ付勢する復帰ばねとを備え、
前記第１の扉体は、前記第１の挿通孔に前記第１のプラグの接触子が挿通されると、前記復帰ばねを圧縮しながら前記一方向の他端側に向かって移動して前記第１の開放位置に変位し、かつ前記第２の扉体の前記第２の閉塞位置から前記第２の開放位置への移動を阻止し、
前記第２の扉体は、前記第２の挿通孔に前記第２のプラグの接触子が挿通されると、前記復帰ばねを圧縮しながら前記一方向の一端側に向かって移動して前記第２の開放位置に変位し、かつ前記第１の扉体の前記第１の閉塞位置から前記第１の開放位置への移動を阻止する
ことを特徴とするコンセント。
【発明の詳細な説明】
【技術分野】
【０００１】
本発明は、コンセントに関するものである。
【背景技術】
【０００２】
従来、トランスを内蔵し、異なる電圧を出力可能な２口コンセントがある（例えば、特許文献１参照）。このコンセントは、プラグの接触子が挿通される挿通孔を２組備えており、互いに異なる電圧を出力することができる。この種のコンセントは、例えばホテルの洗面所に設けられるシェーバー用のコンセントとして用いられ、使用電圧が異なる様々な機器（例えばシェーバー）に対応することができる。
【０００３】
また、コンセント内部に異物の侵入を防止するため、扉体を備えたコンセントもある。扉体は、対応する１つの挿通孔を閉塞または開放する扉片を備えており、挿通孔を閉塞する閉塞位置と挿通孔を開放する開放位置との間を移動自在に構成されている。また、各扉片は、復帰ばねが設けられており、復帰ばねによって閉塞位置に付勢されている。そして、各扉片は、挿通孔に挿通されたプラグの接触子に当接し、接触子の挿通量が増加するにつれて、復帰ばねを圧縮しながら閉塞位置から開放位置に向かって移動する。
【先行技術文献】
【特許文献】
【０００４】
【特許文献１】特開平９−１７４９５号公報
【発明の概要】
【発明が解決しようとする課題】
【０００５】
しかし、コンセントに内蔵されたトランスの定格出力は小さいので、２組の挿通孔それぞれの組にプラグの接触子が同時に挿入された場合、接続された機器に所望の電力を供給できず、トランスや接続機器が故障するおそれがあった。
【０００６】
さらに、復帰ばねは、扉片ごとに設けられており、扉片の個数分必要であるので、コンセントが大型化するという問題があった。
【０００７】
本発明は、上記事由に鑑みてなされたものであり、その目的は、小型化すると共に、２つのプラグが同時に接続されることを防止することができるコンセントを提供することにある。
【課題を解決するための手段】
【０００８】
本発明のコンセントは、第１のプラグの接触子が挿通される第１の挿通孔および、第２のプラグの接触子が挿通される第２の挿通孔が一方向に並んで形成されたボディと、前記ボディに収納され、前記第１の挿通孔に挿通した前記第１のプラグの接触子が接触導通する第１の接触子受けと、前記ボディに収納され、前記第２の挿通孔に挿通した前記第２のプラグの接触子が接触導通する第２の接触子受けと、前記ボディに収納され、前記第１の挿通孔に挿通した前記第１のプラグの接触子に当接し、前記第１のプラグの接触子の挿通量が増加するにつれて、前記第１の挿通孔を閉塞する前記一方向の一端側の第１の閉塞位置から、前記第１の挿通孔を開放する前記一方向の他端側の第１の開放位置に向かって移動する第１の扉体と、前記ボディに収納され、前記第２の挿通孔に挿通した前記第２のプラグの接触子に当接し、前記第２のプラグの接触子の挿通量が増加するにつれて、前記第２の挿通孔を閉塞する前記一方向の他端側の第２の閉塞位置から、前記第２の挿通孔を開放する前記一方向の一端側の第２の開放位置に向かって移動する第２の扉体とを備え、前記一方向における前記第１の扉体と前記第２の扉体との間に設けられ、前記第１の扉体を前記一方向の一端側へ付勢し、前記第２の扉体を前記一方向の他端側へ付勢する復帰ばねと、前記第１の扉体は、前記第１の挿通孔に前記第１のプラグの接触子が挿通されると、前記復帰ばねを圧縮しながら前記一方向の他端側に向かって移動して前記第１の開放位置に変位し、かつ前記第２の扉体の前記第２の閉塞位置から前記第２の開放位置への移動を阻止し、前記第２の扉体は、前記第２の挿通孔に前記第２のプラグの接触子が挿通されると、前記復帰ばねを圧縮しながら前記一方向の一端側に向かって移動して前記第２の開放位置に変位し、かつ前記第１の扉体の前記第１の閉塞位置から前記第１の開放位置への移動を阻止することを特徴とする。
【発明の効果】
【０００９】
以上説明したように、本発明では、一方向における第１の扉体と第２の扉体との間に復帰ばねを設け、プラグの接触子が挿入されると一方の扉体が復帰ばねを圧縮しながら他方の扉体に向かって移動する。したがって、復帰ばねの個数が削減され、一方の扉体が他方の扉体の移動を制限するので、小型化すると共に、２つのプラグが同時に接続されることを防止することができるという効果がある。
【図面の簡単な説明】
【００１０】
【図１】本発明の実施形態のコンセントの分解斜視図である。
【図２】（ａ）同上の前面図である。（ｂ）同上の右面図である。（ｃ）同上の下面図である。
【図３】（ａ）（ｂ）第１，第２の台座の外観図である。
【図４】第１，第２の扉体および復帰ばねの外観図である。
【図５】（ａ）（ｂ）第１の扉体の外観図である。
【図６】（ａ）第１の扉体が第１の閉塞位置にある状態を示す斜視図である。（ｂ）第１の扉体が第１の開放位置にある状態を示す斜視図である。
【図７】（ａ）第１の扉体が第１の閉塞位置にある状態を示す側面図である。（ｂ）第２の扉体が第２の開放位置にある状態を示す側面図である。
【発明を実施するための形態】
【００１１】
以下、本発明の実施の形態を図面に基づいて説明する。
【００１２】
（実施形態）
本実施形態のコンセントは、プラグが有する一対の接触子が挿通される一対の挿通孔を２組備え、互いに異なる電圧（例えば１１０Ｖ／２２０Ｖ）を出力する２口コンセントであり、例えばホテルの洗面所に設けられるシェーバー用のコンセントとして用いられる。そして、コンセントには、１１０Ｖを使用電圧とする第１の機器（図示なし）が具備する第１のプラグ（図示なし）または、２２０Ｖを使用電圧とする第２の機器（図示なし）が具備する第２のプラグ（図示なし）が接続される。以下に、本実施形態のコンセントの構成について、図１〜図７を用いて説明する。なお、図２（ａ）における上下左右を基準とし、上下左右方向と直交する手前方向を前方向、上下左右方向と直交する奥方向を後方向と規定して説明する。
【００１３】
本実施形態のコンセントは、プラグの接触子が挿通される２組の挿通孔（一対の第１の挿通孔４２ａ，一対の第２の挿通孔４２ｂ）が形成されたボディ１を備える。このボディ１には、接触子が接触導通する２組の接触子受け（第１，第２の接触子受け５ａ，５ｂ），挿通孔を閉塞または開放する２つの扉体（第１，第２の扉体６ａ，６ｂ），トランス８等が収納される。また、コンセントは、矩形状の開口１１１からボディ１の前面を露出させる取り付け板１１を備えており、この取り付け板１１を用いて構造物の壁面に形成された開口に埋込配設される。また、取り付け板１１の前面には、化粧パネル１２，１３が設けられる。
【００１４】
ボディ１は、第１の器体２，第２の器体３，カバー４が組み合わさることで中空の矩形体状に形成されている。第１の器体２は、前面，右面が開口した矩形体状に形成されている。第２の器体３は、前面が開口し、右側から第１の器体２の右側開口を覆う矩形体状に形成されている。カバー４は、前側から第１，第２の器体２，３の前側開口を覆う。
【００１５】
カバー４は、矩形状の前面を有しており、この前面に第１の挿通部４１ａと第２の挿通部４１ｂとが上下方向に並んで形成されている。なお、第１の挿通部４１ａは、第２の挿通部４１ｂに対して上側に形成されている。
【００１６】
第１の挿通部４１ａは、左右方向に並んで形成された一対の第１の挿通孔４２ａ，４２ａで構成されている。この一対の第１の挿通孔４２ａ，４２ａそれぞれに、第１のプラグが有する一対の接触子が挿通される。また、第２の挿通部４１ｂは、左右方向に並んで形成された一対の第２の挿通孔４２ｂ，４２ｂで構成されている。この一対の第２の挿通孔４２ｂ，４２ｂそれぞれに、第２のプラグが有する一対の接触子が挿通される。なお、左側の第１の挿通孔４２ａと左側の第２の挿通孔４２ｂとは、上下方向に並んで形成され、右側の第１の挿通孔４２ａと右側の第２の挿通孔４２ｂとは、上下方向に並んで形成されている。また、第１，第２の挿通孔４２ａ，４２ｂのそれぞれは、平板状の接触子が挿通可能な矩形状の孔と、丸棒状の接触子が挿通可能な円形状の孔とが一体に形成された、いわゆるユニバーサル型のコンセント口となっている。したがって、複数種類のプラグの接触子を、第１，第２の挿通孔４２ａ，４２ｂに挿通させることができる。なお、第１の挿通孔４２ａに挿通される第１のプラグの接触子と、第２の挿通孔４２ｂに挿通される第２のプラグの接触子とは、互いに同一形状であってもよいし、互いに異なる形状であってもよい。
【００１７】
第１の器体２は、カバー４の後方に配設され、トランス８を収納している。第１の器体２は、後面に矩形状の開口２１が形成されており、この開口２１を塞ぐように前方から矩形状の台座２２がはめ込まれる。そして、この台座２２の前面にトランス８が設けられる。トランス８の入力は、第２の器体３に収納されたケーブル８１を介して第２の器体３から露出した接続端子３１に接続されている。この接続端子３１に、分電盤から導出された電線（図示なし）が接続されることで、トランス８に商用電源が供給される。そして、トランス８は、商用電源から１１０Ｖ／２２０Ｖの出力電圧を生成する。トランス８の出力は、第２の器体３に収納された第１，第２の接触子受け５ａ，５ｂに接続されており、一対の第１の接触子受け５ａ，５ａ間に１１０Ｖの電圧が印加され、一対の第２の接触子受け５ｂ，５ｂ間に２２０Ｖの電圧が印加される。なお、トランス８の出力電圧１１０Ｖ／２２０Ｖは、一例であって他の電圧値であってもよい。
【００１８】
第２の器体３は、カバー４に形成された第１，第２の挿通部４１ａ，４１ｂと対向するように、カバー４の後方における第１の器体２の右側に配設され、第１，第２の接触子受け５ａ，５ｂ、第１，第２の扉体６ａ，６ｂを収納している。また、第２の器体３は、第１，第２の接触子受け５ａ，５ｂを保持する第１の台座３２と、第１，第２の扉体６ａ，６ｂを保持する第２の台座３３とを収納しており、第２の台座３３は第１の台座３２の前方に積み重ねられる。第１，第２の台座３２，３３の前面図を図３（ａ）、下面図を図３（ｂ）に示す。
【００１９】
第１の台座３２は、第２の器体３の後面に設けられており、前面が矩形状に形成され、前面に一対の第１の接触子受け５ａ，５ａおよび一対の第２の接触子受け５ｂ，５ｂが設けられる。また、第１の台座３２は、前面の四隅に凹部３２１が形成されており、各凹部３２１に第１，第２の接触子受け５ａ，５ｂがはめ込まれる。なお、一対の第１の接触子受け５ａ，５ａは、一対の第１の挿通孔４２ａ，４２ａに対向するように配設され、一対の第２の接触子受け５ｂ，５ｂは、一対の第２の挿通孔４２ｂ，４２ｂに対向するように配設される。ここで、第１，第２の接触子受け５ａ，５ｂのそれぞれは、ばね性を有する金属材料からなり、第１，第２の挿通孔４２ａ，４２ｂに挿通された接触子に対して弾性接触することで接触導通する。また、第１の台座３２の前面中央部には、凹部３２２が形成されており、この凹部３２２には後述するスライド部材３４がはめ込まれる。
【００２０】
第２の台座３３は、第１の台座３２の前方に積み重ねられ、カバー４の後面に対向した前面に第１，第２の扉体６ａ，６ｂおよび、第１，第２の扉体６ａ，６ｂを付勢する２つの復帰ばね７が設けられる。第２の台座３３は、第１の台座３２に設けられた第１，第２の接触子受け５ａ，５ｂを閉塞しないよう四隅に矩形状の開口３３１が形成されている。そして、第２の台座３３の前面には、一対の第１の接触子受け５ａ，５ａに対向する一対の開口３３１，３３１間および、一対の第２の接触子受け５ｂ，５ｂに対向する一対の開口３３１，３３１間に、案内溝３３２が上下方向に沿って形成されている。さらに、第２の台座３３の中央部には、第１の台座３２に設けられたスライド部材３４を挿通させる矩形状の開口３３３が形成されている。スライド部材３４は、軸部３４１，フランジ３４２，ガイド部３４３で構成されている。軸部３４１は、前後方向を長手方向とする棒状に形成されている。フランジ３４２は、軸部３４１の前端から上下左右方向に拡幅するように形成され、第２の台座３３の開口３３３の周縁に後方から当接して、第２の台座３３を支持する。ガイド部３４３は、第２の台座３３の開口３３３から前方に突出するようにフランジ３４２に形成され、前面に案内溝３４４が上下方向に沿って形成されている。なお、第２の台座３３に形成された案内溝３３２と、ガイド部３４３に形成された案内溝３４４とは、上下方向に連続するように形成されている。
【００２１】
そして、図４に示すように、第２の台座３３の前面に、第１の扉体６ａと第２の扉体６ｂとが上下方向に並んで配設され、第１，第２の扉体６ａ，６ｂは、案内溝３３２，３４４に沿って上下方向にスライドする。また、上下方向における第１の扉体６ａと第２の扉体６ｂとの間には、２つの復帰ばね７が配設される。
【００２２】
第１の扉体６ａの前面図を図５（ａ）、上面図を図５（ｂ）に示す。第１の扉体６ａは、一対の扉片６１ａ，６１ａと連結片６２ａと突部６３ａとで構成されている。一対の扉片６１ａ，６１ａは、左右方向に並んで形成されており、それぞれが一対の第１の挿通孔４２ａを閉塞または開放する。また、扉片６１ａの前面は、下方向から上方向に向かうにつれて後方に傾斜した斜面６１１ａで構成されている。連結片６２ａは、左右方向に並んで形成されている一対の扉片６１ａ，６１ａ同士を連結する。突部６３ａは、連結片６２ａから後方に向かって突出している。そして、第１の扉体６ａは、突部６３ａが案内溝３３２，３４４にはめ込まれ、案内溝３３２，３４４に沿って上下方向にスライド自在に構成される。上記構成により、第１の扉体６ａは、一対の扉片６１ａ，６１ａが一対の第１の挿通孔４２ａ，４２ａの両方を閉塞する上側の第１の閉塞位置と、一対の第１の挿通孔４２ａ，４２ａの両方を開放する下側の第１の開放位置との間を移動する。
【００２３】
第２の扉体６ｂは、第１の扉体６ａと上下対称の同一構成であり、一対の扉片６１ｂ，６１ｂと連結片６２ｂと突部６３ｂとで構成されている。一対の扉片６１ｂ，６１ｂは、左右方向に並んで形成されており、それぞれが一対の第２の挿通孔４２ｂを閉塞または開放する。また、扉片６１ｂの前面は、上方向から下方向に向かうにつれて後方に傾斜した斜面６１１ｂで構成されている。連結片６２ｂは、左右方向に並んで形成されている一対の扉片６１ｂ，６１ｂ同士を連結する。突部６３ｂは、連結片６２ｂから後方に向かって突出している。そして、第２の扉体６ｂは、突部６３ｂが案内溝３３２，３４４にはめ込まれ、案内溝３３２，３４４に沿って上下方向にスライド自在に構成される。上記構成により、第２の扉体６ｂは、一対の扉片６１ｂ，６１ｂが一対の第２の挿通孔４２ｂ，４２ｂの両方を閉塞する下側の第２の閉塞位置と、一対の第２の挿通孔４２ｂ，４２ｂの両方を開放する上側の第２の開放位置との間を移動する。
【００２４】
復帰ばね７は、上下方向に伸縮するコイル状の圧縮ばねで構成されており、上下方向における第１の扉体６ａと第２の扉体６ｂとの間に配設されている。第１の扉体６ａは、一対の扉片６１ａそれぞれの下面に突部６４ａが形成され、第２の扉体６ｂは、一対の扉片６１ｂそれぞれの上面に突部６４ｂが形成されている。２つの復帰ばね７それぞれは、上端部が第１の扉体６ａの扉片６１ａに形成された突部６４ａにはめ込まれ、下端部が第２の扉体６ｂの扉片６１ｂに形成された突部６４ｂにはめ込まれる。すなわち、復帰ばね７は、互いに上下方向に対向する第１の扉体６ａの扉片６１ａと第２の扉体６ｂの扉片６１ｂとの間に介在し、第１の扉体６ａを上方向、第２の扉体６ｂを下方向に付勢する。
【００２５】
また、第２の台座３３には、第１の扉体６ａの上端位置を規定する複数の突部３３４ａおよび、第２の扉体６ｂの下端位置を規定する複数の突部３３４ｂが形成されている。そして、第１のプラグの接触子が挿入されていない場合、第１の扉体６ａは、復帰ばね７によって上方向に付勢されることで上面が突部３３４ａに当接する。この第１の扉体６ａが突部３３４ａに当接した位置（上端位置）が、第１の扉体６ａが一対の第１の挿通孔４２ａを閉塞する第１の閉塞位置となる。また、第２のプラグの接触子が挿入されていない場合、第２の扉体６ｂは、復帰ばね７によって下方向に付勢されることで下面が突部３３４ｂに当接する。この第２の扉体６ｂが突部３３４ｂに当接した位置（下端位置）が、第２の扉体６ｂが一対の第２の挿通孔４２ｂを閉塞する第２の閉塞位置となる。
【００２６】
次に、本実施形態のコンセントにプラグが接続された際の動作について説明する。ここでは、第１のプラグがコンセントに接続された場合について説明する。
【００２７】
まず、コンセントに第１，第２のプラグが接続されていない場合、図６（ａ）に示すように、第１，第２の扉体６ａ，６ｂは、復帰ばね７によって第１，第２の閉塞位置に付勢されているので、第１，第２の挿通孔４２ａ，４２ｂを閉塞している。
【００２８】
そして、第１のプラグが有する一対の接触子が、一対の第１の挿通孔４２ａに挿通されると、接触子の先端が第１の扉体６ａの扉片６１ａの前面に形成された斜面６１１ａに当接する。上述したように、扉片６１ａの斜面６１１ａは、下方向から上方向に向かうにつれて後方に傾斜している。したがって、第１のプラグの接触子が挿入される後方向への力が、扉片６１ａの斜面６１１ａによって下方向にも分散される。これにより、第１の扉体６ａは、第１のプラグの接触子の挿通量が増加するにつれて、復帰ばね７を圧縮しながら案内溝３３２，３４４に沿って下方向に移動する。そして、図６（ｂ）に示すように、第１の扉体６ａが一対の第１の挿通孔４２ａを開放する第１の開放位置まで変位すると、第１のプラグの一対の接触子が一対の第１の接触子受け５ａに接触導通される。このとき、第１の扉体６ａは、復帰ばね７によって上面が第１のプラグの接触子の側面（下面）に付勢されているので、ガイド部３４３の前方位置である第１の開放位置に固定される。なお、第１のプラグの図示は省略している。
【００２９】
このように、第１のプラグの接触子が第１の挿通孔４２ａに挿通されると、第１の扉体６ａは、第２の扉体６ｂに向かって下方向に移動し、第１の開放位置に変位する。このとき、図７（ａ）に示すように、第１の扉体６ａは、第２の扉体６ｂに対して上側に近接した位置（第１の開放位置）に固定されているので、第２の扉体６ｂは、第１の扉体６ａによって上方向への移動が阻止される。したがって、第２の扉体６ｂは、第２の挿通孔４２ｂを閉塞している第２の閉塞位置から、第２の挿通孔４２ｂを開放する第２の開放位置に向かって上方向への移動ができない。すなわち、第１のプラグの接触子が第１の挿通孔４２ａに挿通され第１の接触子受け５ａに接触導通されている場合、第２のプラグの接触子を第２の挿通孔４２ｂに挿通し第２の接触子受け５ｂに接触導通させることが不可となる。
【００３０】
なお、第１のプラグの接触子が第１の挿通孔４２ａに挿通される場合について説明したが、第２のプラグの接触子が第２の挿通孔４２ｂに挿通される場合についても同様である。すなわち、図７（ｂ）に示すように、第２のプラグの接触子が第２の挿通孔４２ｂに挿通されると、第２の扉体６ｂは、第１の扉体６ａに向かって上方向に移動し、第１の扉体６ａの下方向への移動を阻止する。したがって、第２のプラグの接触子が第２の挿通孔４２ｂに挿通され第２の接触子受け５ｂに接触導通されている場合、第１のプラグの接触子を第１の挿通孔４２ａに挿通し第１の接触子受け５ａに接触導通させることが不可となる。
【００３１】
また、第１，第２のプラグの両方ともコンセントに接続されていない場合、第１，第２の扉体６ａ，６ｂは復帰ばね７によって、第１，第２の閉塞位置に付勢されている。これにより、第１，第２の挿通孔４２ａ，４２ｂが閉塞された状態となるので、第１，第２の挿通孔４２ａ，４２ｂを介してボディ内に異物等の侵入を防止することができる。
【００３２】
このように、本実施形態のコンセントは、ボディ１、第１，第２の接触子受け５ａ，５ｂ、第１，第２の扉体６ａ，６ｂ、復帰ばね７を備える。
【００３３】
ボディ１は、第１のプラグの接触子が挿通される第１の挿通孔４２ａおよび、第２のプラグの接触子が挿通される第２の挿通孔４２ｂが上下方向（一方向）に並んで形成される。
【００３４】
第１の接触子受け５ａは、ボディ１に収納され、第１の挿通孔４２ａに挿通した第１のプラグの接触子が接触導通する。第２の接触子受け５ｂは、ボディ１に収納され、第２の挿通孔４２ｂに挿通した第２のプラグの接触子が接触導通する。
【００３５】
第１の扉体６ａは、ボディ１に収納され、第１の挿通孔４２ａに挿通した第１のプラグの接触子に当接する。そして、第１の扉体６ａは、第１のプラグの接触子の挿通量が増加するにつれて、第１の挿通孔４２ａを閉塞する上下方向（一方向）の上側（一端側）の第１の閉塞位置から、第１の挿通孔４２ａを開放する上下方向（一方向）の下側（他端側）の第１の開放位置に向かって移動する。第２の扉体６ｂは、ボディ１に収納され、第２の挿通孔４２ｂに挿通した第２のプラグの接触子に当接する。そして、第２の扉体６ｂは、第２のプラグの接触子の挿通量が増加するにつれて、第２の挿通孔４２ｂを閉塞する上下方向（一方向）の下側（他端側）の第２の閉塞位置から、第２の挿通孔４２ｂを開放する上下方向（一方向）の上側（一端側）の第２の開放位置に向かって移動する。
【００３６】
復帰ばね７は、上下方向（一方向）における第１の扉体６ａと第２の扉体６ｂとの間に設けられ、第１の扉体６ａを上下方向（一方向）の上側（一端側）へ付勢し、第２の扉体６ｂを上下方向（一方向）の下側（他端側）へ付勢する。
【００３７】
そして、第１の扉体６ａは、第１の挿通孔４２ａに第１のプラグの接触子が挿通されると、復帰ばね７を圧縮しながら上下方向（一方向）の下側（他端側）に向かって移動して第１の開放位置に変位する。第２の扉体６ｂは、第２の挿通孔４２ｂに第２のプラグの接触子が挿通されると、復帰ばね７を圧縮しながら上下方向（一方向）の上側（一端側）に向かって移動して第２の開放位置に変位する。
【００３８】
本実施形態のコンセントは、上記構成を備えることによって、第１，第２のプラグのうちいずれか一方が接続されている場合、他方のプラグを接続することが不可となる。すなわち、２つのプラグが同時に接続されることを防止することができる。これにより、２つのプラグが同時接続されることによる、トランス８や接続機器の故障を防止することができる。
【００３９】
さらに、本実施形態の復帰ばね７は、第１の扉体６ａの扉片６１ａと第２の扉体６ｂの扉片６１ｂとの間に設けられ、第１の扉体６ａの扉片６１ａを上方向に付勢するとともに、第２の扉体６ｂの扉片６１ｂを下方向に付勢している。すなわち、本実施形態では、１つの復帰ばね７で、２つの扉片６１ａ，６１ｂを付勢している。これにより、１つの復帰ばねで１つの扉片を付勢していた従来のコンセントに比べて、復帰ばね７の個数を削減することができ、コンセントを小型化することができる。
【符号の説明】
【００４０】
１  ボディ
２  第１の器体
３  第２の器体
４  カバー
４２ａ，４２ｂ  第１，第２の挿通孔
５ａ，５ｂ  第１，第２の接触子受け
６ａ，６ｂ  第１，第２の扉体
７  復帰ばね
【図１】
0006052678.tif 000002
【図２】
0006052678.tif 000003
【図３】
0006052678.tif 000004
【図４】
0006052678.tif 000005
【図５】
0006052678.tif 000006
【図６】
0006052678.tif 000007
【図７】
0006052678.tif 000008